(57)【要約】【課題】  断熱屋根構造を構成するため屋根断熱パネルであって、垂木上に直接施工が可能な強度を有していると共に防湿層を設けることなく良好な調湿機能を発揮し、施工も簡単且つ精度よく行える断熱パネルを提供する。【解決手段】  断熱パネルＡは吸放湿性に優れた木質繊維板からなる断熱パネル主体１の表面に該断熱パネル主体１よりも密度が大きい木質板からなる補強板２を貼着してなると共に、断熱パネル主体１の両端面の下部に、垂木に直交して配設した雇い実５に係合させる嵌合用切欠段部３、３と、この嵌合用切欠段部３の上方部に隣接する断熱パネルＡ、Ａ同士を互いに嵌合させる相じゃくり実4a、4bを設けてなる構造を有している。【選択図】    図２
2008231864.tif 000002
【特許請求の範囲】
【請求項１】
密度が0.27ｇ／cm3 未満の木質繊維板からなる断熱パネル主体の表面に密度が0.35ｇ／cm3 以上の木質板からなる補強板を貼着していることを特徴とする屋根断熱パネル。
【請求項２】
断熱パネル主体は横長長方形状の木質繊維板であって、その長辺側の両端面下部に雇い実の嵌合用切欠段部を設けていることを特徴とする請求項１に記載の屋根断熱パネル。
【請求項３】
雇い実の嵌合用切欠段部は断熱パネル主体の長辺側の両端面下部を断面逆Ｌ字状に切欠くことによって形成されていることを特徴とする請求項１又は請求項２に記載の屋根断熱パネル。
【請求項４】
補強板の長辺側の両端面から雇い実の嵌合用切欠段部に至る断熱パネル主体の両端面にかけて相じゃくり実を形成していることを特徴とする請求項１、請求項２又は請求項３に記載の屋根断熱パネル。
【発明の詳細な説明】
【技術分野】
【０００１】
本発明は外張り屋根断熱構造を構成するのに好適な木質系の屋根断熱パネルに関するものである。
【背景技術】
【０００２】
従来から、住宅の外張り断熱工法と呼ばれている屋根断熱構造においては、この屋根断熱構造を構成する断熱パネルとして、例えば、特許文献１に記載されているように発泡ポリスチレン板や硬質ウレタンフォームなどの発泡プラスチック系断熱材などからなる板状断熱材が使用され、この板状断熱材を、垂木の上に合板等の屋根下地材を施工したのち、この下地材上に防湿層を介して敷設、固定し、さらに、この板状断熱材上に胴縁を左右方向に一定間隔毎に固着して隣接する胴縁間で通気層を形成し、該通気層を構造用合板（野地板）によって被覆すると共に、構造用合板上に防水層を介して屋根材を葺いてなる屋根断熱構造を構成している。
【特許文献１】特開平７−２０７８５２号公報
【発明の開示】
【発明が解決しようとする課題】
【０００３】
しかしながら、上記発泡プラスチック系断熱材などからなる板状断熱材は曲げ強度等の強度に劣るために、垂木間に直接、架設状態に施工すると施工時に足場として利用する場合等において折損する虞れがあり、そのため、垂木の上に構造用合板からなる屋根下地材を施工したのち、この下地材に該板状断熱材を施工する必要が生じて著しい手間と労力を要すると共にコスト高になるといった問題点がある。さらに、板状断熱材として木質繊維板のような透湿性を有する板材を使用しても、上記のように垂木の上に下地材として構造用合板を施工すると、合板自体は透湿性が十分でないために、木質繊維板の透湿性を効果的に発揮させることができなくなると共に合板の表面等に結露が発生する等の問題点がある。
【０００４】
本発明はこのような問題点に鑑みてなされたもので、その目的とするところは、屋根下地材を設けることなく垂木の上に直接、施工が可能な強度を有していると共に良好な調湿機能を発揮して防湿層などを設けなくても表面に結露が発生し難くし、また、施工性が良好で且つ精度よく施工することができる屋根断熱パネルを提供するにある。
【課題を解決するための手段】
【０００５】
上記目的を達成するために、本発明の屋根断熱パネルは、請求項１に記載したように、密度が0.27ｇ／cm3 未満の木質繊維板からなる断熱パネル主体の表面に密度が0.35ｇ／cm3 以上の木質板からなる補強板を貼着してなる断熱板構造を有している。
【０００６】
このように構成した屋根断熱パネルにおいて、請求項２に係る発明は、上記断熱パネル主体は横長長方形状の木質繊維板であって、その長辺側の両端面下部に雇い実の嵌合用切欠段部を設けていることを特徴とし、請求項３に係る発明は、この雇い実の嵌合用切欠段部は断熱パネル主体の長辺側の両端面下部を断面逆Ｌ字状に切欠くことによって形成されていることを特徴とする。さらに、請求項４に係る発明は、補強板の長辺側の両端面から雇い実の嵌合用切欠段部に至る断熱パネル主体の両端面にかけて相じゃくり実を形成していることを特徴とする。
【発明の効果】
【０００７】
請求項１に係る発明によれば、断熱パネル主体は密度が0.27ｇ／cm3 未満の木質繊維板からなり、この断熱パネル主体の表面に密度が0.35ｇ／cm3 以上の木質板からなる補強板を貼着しているので、良好な断熱性を備えていると共に補強板によって全体が高い強度を有しており、この断熱パネル上に作業員等が乗っても踏み抜ける虞れがなくて施工時における安全性が高めることができ、従って、断熱材等を支える合板等の屋根下地材が不要で垂木上に直接施工が可能な外張り屋根断熱構造を構成することができて、能率の良い施工を可能にすると共に材料コストの削減を図ることができる。
【０００８】
さらに、上記木質繊維板は吸放湿性に優れた良好な調湿機能を発揮すると共に透湿性が高いので表面に結露が発生し難く、長期に亘って上記機能を維持することができる。
【０００９】
また、請求項２に係る発明によれば、断熱パネル主体は横長長方形状の木質繊維板であってその長辺側の両端面下部に雇い実の嵌合用切欠段部を設けているので、施工時において、隣接する断熱パネル主体の長辺側の対向端面を突き合わせ状にして対向する嵌合用切欠段部間に雇い実を嵌合させることにより、断熱パネル同士の接合強度を高めることができると共に、断熱パネルを垂木上に施工する際においても、断熱パネル同士が接合部から踏み抜ける等の心配がなく比較的安全に作業を行うことができるものであり、その上、断熱パネル間が雇い実を介して正確に接続して精度のよい施工が可能となるものである。
【００１０】
さらに、請求項３に係る発明によれば、上記雇い実の嵌合用切欠段部は、断熱パネル主体の長辺側の両端面下部を断面逆Ｌ字状に切欠くことによって形成されているので、断熱パネルの嵌合用切欠段部に雇い実を嵌め込むだけで雇い実による断熱パネル同士の接合作業が極めて簡単且つ正確に行うことができ、断熱屋根の施工が一層能率よく行うことができる。
【００１１】
請求項４に係る発明によれば、断熱パネル主体の表面に貼着している補強板の長辺側の両端面から上記雇い実の嵌合用切欠段部に至る該断熱パネル主体の両端面にかけて相じゃくり実を形成しているので、隣接する断熱パネル同士が上述した雇い実による接続と共に相じゃくり実の雌雄実部の係合により一層確実にして精度のよい施工が可能となると共に、雇い実を介して接合した断熱パネルの対向端面間に隙間が生じても、互いに係合した相じゃくり実の雌雄実部によってその隙間を被覆した状態にすることができ、隙間が断熱パネルの表裏面間に連通するのを遮断して断熱欠損が生じ難い断熱屋根構造を提供することができる。
【発明を実施するための最良の形態】
【００１２】
次に、本発明を実施するための最良の形態を図面について説明すると、図１は断熱パネルＡの簡略斜視図であって、この断熱パネルＡは、密度が0.27ｇ／cm3 未満の木質繊維板からなる断熱パネル主体１の表面に密度が0.35ｇ／cm3 以上の木質板からなる補強板２を貼着してなるものであり、上記密度が0.27ｇ／cm3 未満の木質繊維板は木質繊維と結合剤を主成分とした軟質繊維板であって、例えば、JIS A 5905で規定されているタタミボードがある。
【００１３】
木質繊維板からなる上記断熱パネル主体１の厚さは、必要とする断熱性能に応じて適宜に設定することができるものであり、例えば、断熱パネルＡとして必要とする熱抵抗値が0.8 m2・Ｋ／Ｗの場合であれば40mm厚程度となり、必要とする熱抵抗値が1.2 m2・Ｋ／Ｗの場合であれば55mm厚程度となる。また、一枚の木質繊維板によって断熱パネル主体１を構成しておいてもよいが、製造可能な木質繊維板の厚みは制限されるので、一定厚みを有する木質繊維板を２枚、或いはそれ以上の数枚を重ね合わせて互いに貼着することにより断熱パネル主体１に必要な厚みに形成している。
【００１４】
この断熱パネル主体１の表面に貼着している補強板２としての密度が0.35ｇ／cm3 以上の上記木質繊維板は、例えば、木質繊維と結合剤を主成分とした木質繊維板や合板、ハーティクルボードであって、その厚みは断熱パネルＡに必要な強度に応じて設定することができるが、その厚みが５mm未満であると必要な強度が確保し難くなり、20mm厚を超えると釘が打ち難くなったり取り回しがし難い等の施工上の問題点が生じるので、５〜20mm厚の木質板を使用することが好ましい。また、このように断熱パネル主体１の表面に補強板２を一体に積層してなる断熱パネルＡは、例えば、幅が455mm で長さが1820mmの横長長方形状に形成されている。
【００１５】
断熱パネル主体１を構成する数枚の木質繊維板同士の貼着や、断熱パネル主体１と補強板２とを貼着する接着剤としては、特に限定することなく適宜の接着剤を使用することができ、例えば、酢酸ビニル系やＥＶＡ系、アクリル系、ゴム系の接着剤等を挙げることができる。また、接着剤を断熱パネル主体１を形成する木質繊維板の接着すべき面や補強板２を形成する木質板の接着すべき面に全面に亘って塗布してもよいが、これらの面にビード状、或いは点状に塗布して、この部分的な塗布によって木質繊維板や木質板同士を接着しておくことが好ましく、このように部分接着を施すことによって、接着剤層による木質繊維板間や木質繊維板と木質板間の透湿の阻害を低減して結露防止効果を向上させることができる。なお、断熱パネルＡの表裏面、即ち、外部に露出している補強板２の表面と断熱パネル主体１の裏面とに防水剤や撥水剤を塗布しておいてもよい。
【００１６】
さらに、断熱パネル主体１の長辺側の両端面における下部を断面逆Ｌ字状に切り欠くことによって断面矩形状の雇い実５（図２〜図５に示す）の嵌合用切欠段部３に形成している。この嵌合用切欠段部３は断熱パネル主体１の長辺側の両端面下部を一定幅でもって全長に亘り、断面逆Ｌ字状に切り欠くことによって一定幅を有する下向き係止面3aとこの係止面3aの内端から断熱パネル主体１の裏面に達した垂直面3bとからなる係合段部に形成されてあり、その幅（係止面3aの幅）は雇い実５の１／２の幅に形成されていて、隣接する断熱パネルＡ、Ａの対向する嵌合用切欠段部３、３に雇い実５を嵌合させることにより、この雇い実５を介して断熱パネルＡ、Ａが互いに接合し、且つ、その対向端部が雇い実５を介して後述する垂木６に支持された施工状態となるように構成している。
【００１７】
なお、隣接する断熱パネルＡ、Ａの対向端部を雇い実５により接続する構造として、上記嵌合用切欠段部３以外に、例えば、断熱パネル主体１の長辺側の両端面中央部を断面コ字状に切除することによって水平方向に開口した嵌合溝部に形成し、対向する断熱パネルＡ、Ａの嵌合用溝部に板状の雇い実５の一半部と他半部とをそれぞれ嵌め込むことによって接続するように構成してもよいが、上記のように断熱パネル主体１の両端面下部を断面逆Ｌ字状に切り欠くことによって下向きに開口した係合段部に形成しておくことが好ましく、このように形成しておくことによって、雇い実５を介しての断熱パネルＡ、Ａ同士の接合作業が雇い実５に嵌合用切欠段部３を上方から嵌め込むようにして容易に行え、垂木６上への断熱パネルＡの施工が能率よく行えるばかりでなく、雇い実５を垂木６、６上に交差状に支持させて断熱パネルＡ、Ａの接合端部をこの雇い実５を介して垂木６に支持させることができ、その接合端部の曲げ強度が補強されて断熱パネルＡに荷重がかかった時における端部の折損等の発生を防止することができる。
【００１８】
また、断熱パネルＡにおける長辺側の両端面には、上記嵌合用切欠段部３と共に本実や相じゃくり実を設けておけばさらに施工性を向上させることができる。上記図１に示した断熱パネルＡは、その両端面に嵌合用切欠段部３、３と共に相じゃくり実の雌雄実部4a、4bを設けているもので、補強板２の長辺側における一端部を全長に亘って一定幅だけ切除してその一端面2aの下端から断熱パネル主体１の一端部における上半部をこの補強板２の切除幅に相当する幅だけ突出させることにより相じゃくり実の雄実部4aに形成していると共に、断熱パネル主体１の他端部における上半部を上記補強板２の切除幅に相当する幅だけ補強板２の他端部下面に沿って切除することにより、補強板２の他端面2bから該断熱パネル主体１の他端面3bが内方に凹んでなる相じゃくり実の雌実部4bに形成している。さらに、断熱パネル主体１の長辺側の両端面における下部を断面逆Ｌ字状に切り欠くことによって上記雇い実５の嵌合用切欠段部３に形成している。
【００１９】
図２は上記雇い実嵌合用切欠段部と相じゃくり実とを設けている断熱パネルＡを施工した断熱屋根構造の一部切欠簡略斜視図、図３はその縦断側面図、図４は施工された断熱パネルＡの斜視図、図５はその縦断側面図であって、一定間隔毎に設けている垂木６に直交してこの垂木６上に雇い実５を棟から軒先に向かって順次、上記断熱パネルＡの幅間隔毎に配列していると共に、隣接する雇い実５、５間上に断熱パネルＡをその長さ方向を雇い実５の長さ方向に向けた状態で架設して、両端部に設けている嵌合用切欠段部３、３を上記隣接する雇い実５、５の対向る半部分にそれぞれ嵌め込むように係合させ、且つ、隣接する断熱パネルＡ、Ａの相じゃくり実の雌雄実部4a、4bを互いに嵌合させてこれらの並列断熱パネルＡにより屋根下地材を兼備させてあり、さらに、並列断熱パネルＡ上に防水シート７を張設し、該防水シート７上に桟木８を介して屋根材９を葺いてなる構造としている。
【００２０】
このように構成した断熱屋根構造を施工する際に、上記断熱パネルＡにはその両端面下部に断面逆Ｌ字状に切り欠くことによって雇い実５に嵌合させる下向きに開口した矩形状の嵌合用切欠段部３、３を形成しているので、雇い実５を介して断熱パネルＡを順次、垂木６上に容易に且つ正確に架設状態に施工することができると共に、断熱パネルＡの両端部の強度が雇い実５によって増強されて端部の折損等が生じ難い断熱パネルＡの施工を可能にすることができる。
【００２１】
さらに、隣接する断熱パネルＡ、Ａが相じゃくり実の対向する雌雄実部4a、4b同士の嵌合によって接合しているので、これらの断熱パネルＡ、Ａにおける補強板２、２の対向端面2a、2b間に隙間が生じても相じゃくり実の雄実部4aの上面に雌実部4bの下面が密接した状態で重なり合っているので、断熱パネルＡ、Ａの接合部における表裏面間の通気が完全に遮断され、断熱欠損をなくして優れた断熱機能を発揮する。従って、例えば、断熱パネルＡ、Ａの接合部をテープ等による隙間防止等の作業を行う必要はなく、施工コストを削減することができる。
【００２２】
また、図６に示すように、雇い実５の長辺側上端における両端稜角部に突条部5a、5aを突設しておく一方、断熱パネルＡの両端面下部に設けている上記嵌合用切欠段部３、３の隅角部に上記突条部5a、5aを係止させる係止溝部3c、3cを設けておけば、雇い実５と嵌合用切欠段部３、３との係合が一層確実に行われるばかりでなく、突条部5aが係止溝部3cに引っかかって、屋根の傾斜方向に断熱パネルＡがズレようとするのを確実に防止することができると共に、対向端面を隙間なく接合させてさらに精度よく施工することができる。なお、雇い実５の材質は特に限定されることなく、木材や木質材料以外に、硬質合成樹脂や金属板からなるものであってもよい。
【００２３】
さらに、上記断熱パネルＡの短辺側の端面にも本実や相じゃくり実を設けておいてもよく、このように形成することによって、一層施工が容易で正確に行えると共に長さ方向に隣接する断熱パネルＡ、Ａの対向する短辺側の端面同士も目隙を生じさせることなく接合させることができ、また、断熱パネルＡの短辺側の端部を垂木６上に載るように設計しておいた場合には、この垂木６上に本実や相じゃくり実が位置して十分な接合強度を確保することができる。なお、断熱パネルＡは垂木６に釘着することによって固定される。
【００２４】
以上の実施の形態においては、雇い実５の嵌合用切欠段部３と共に相じゃくり実を設けた断熱パネルＡを示しているが、図７〜図９に示すように、相じゃくり実を設けることなく雇い実５の嵌合用切欠段部３を設けた断熱パネルA'であっても、本発明を満足させることができる。
【００２５】
即ち、この断熱パネルA'は、上記断熱パネルＡと同じく、密度が0.27ｇ／cm3 未満の一定厚みを有する平面横長長方形状の木質繊維板からなる断熱パネル主体1'の表面に、密度が0.35ｇ／cm3 以上の一定厚みを有する木質板からなる補強板2'を貼着してなり、この断熱パネル主体１の長辺側の両端面における下部を断面逆Ｌ字状に切り欠くことによって雇い実５の嵌合用切欠段部3'、3'に形成している。詳しくは、この嵌合用切欠段部3'は上記断熱パネルＡと同様に、該断熱パネル主体1'の長辺側の両端面下部を一定幅でもって全長に亘り、断面逆Ｌ字状に切り欠くことによって一定幅を有する下向き係止面3aとこの係止面3aの内端から断熱パネル主体１の裏面に達した垂直面3bとからなる係合段部に形成されてあり、その幅（係止面3aの幅）は雇い実５の１／２の幅に形成されている。
【００２６】
なお、このように形成している断熱パネルA'を使用した断熱屋根構造としては、相じゃくり実による接続構造以外は上記図２、図３で示している実施の形態と同じであるので、その詳細な説明を省略する。また、相じゃくり実や雇い実５の嵌合用切欠段部３を設けることなく長辺側の両端部下面を雇い実５上に直接、支持させた断熱パネルであっても、本発明を満足させることができる。次に、本発明の実施例と比較例とを示す。
【００２７】
〔実施例１〕
密度が0.23ｇ／cm3 、厚さ20mm×幅455mm ×長さ1820mmの木質繊維板（タタミボード）を２枚と、密度が0.33ｇ／cm3 、厚さ８mm×幅455mm ×長さ1820mmの木質繊維板（シージングボード）を１枚、使用し、これらの木質繊維板の重ね合わせ面に酢酸ビニル接着剤をビード状に30ｇ／ｍ2 塗布したのち、貼り合わせて厚さ48mm×幅455mm ×長さ1820mmの断熱パネルを得た。この断熱パネルを荷重面積80mmφ、スパン455mm でもって荷重試験を行ったところ、載荷重が180kgfまで破壊しないことが確認できた。また、この断熱パネルの透湿度を測定したところ、15.4ｇ／ｍ・ｈ・mmHgであった。また、熱抵抗値を測定したところ、0.913 ｍ2k／Ｗであった。
【００２８】
〔実施例２〕
密度が0.23ｇ／cm3 、厚さ20mm×幅455mm ×長さ1820mmの木質繊維板（タタミボード）を２枚と、密度が0.33ｇ／cm3 、厚さ８mm×幅455mm ×長さ1820mmの木質繊維板（シージングボード）を１枚、使用し、これらの木質繊維板の重ね合わせ面に酢酸ビニル接着剤をビード状に30ｇ／ｍ2 塗布したのち、貼り合わせて厚さ48mm×幅455mm ×長さ1820mmの断熱パネルを得た。さらに、この断熱パネルにおける上記タタミボードからなる木質繊維板の四方端面における下部に雇い実の嵌合用切欠段部を形成した。この断熱パネルの嵌合用切欠段部を屋根の垂木上に直交して並列、固定している隣接する雇い実（ベイツガ材製）に係合させることによって良好に施工することができた。また、上記のように雇い実間上に架設状態で施工した断熱パネルの中央部及び雇い実上に支持されている両端部のそれぞれに、荷重面積80mmφ、スパン455mm でもって荷重試験を行ったところ、載荷重が180kgfまで破壊しないことが確認できた。また、この断熱パネルの透湿度を測定したところ、15.4ｇ／ｍ・ｈ・mmHgであり、熱抵抗値を測定したところ0.913 ｍ2k／Ｗであった。
【００２９】
〔実施例３〕
密度が0.23ｇ／cm3 、厚さ20mm×幅455mm ×長さ1820mmの木質繊維板（タタミボード）を２枚と、密度が0.33ｇ／cm3 、厚さ12mm×幅455mm ×長さ1820mmの木質繊維板（シージングボード）を１枚、使用し、これらの木質繊維板の重ね合わせ面に酢酸ビニル接着剤をビード状に30ｇ／ｍ2 塗布したのち、貼り合わせて厚さ52mm×幅455mm ×長さ1820mmの断熱パネルを得た。さらに、密度が0.23ｇ／cm3 の上記木質繊維板（タタミボード）の四方端面における下部に雇い実の嵌合用切欠段部を形成すると共にこの嵌合用切欠段部の上部側における上記タタミボードからなる木質繊維板の上部に相じゃくり実を設けた。この断熱パネルの嵌合用切欠段部を屋根の垂木上に直交して並列、固定している隣接する雇い実（ベイツガ材製）に係合させることによってズレや隙間を生じさせることなく良好に施工することができた。また、上記実施例と同様に、同一条件で荷重試験を行ったところ、載荷重が180kgfまで破壊しないことが確認できた。また、この断熱パネルの透湿度や熱抵抗値も上記実施例と同じ値を示した。
【００３０】
〔比較例１〕
密度が0.23ｇ／cm3 、厚さ20mm×幅455mm ×長さ1820mmの木質繊維板（タタミボード）を２枚と、密度が0.45ｇ／cm3 、厚さ7.5mm ×幅455mm ×長さ1820mmの合板を１枚、使用して屋根用のパネルを得る際に、上記合板について実施例１と同じ荷重試験を行ったところ、破壊荷重が180kgfであった。同様に、透湿率の測定を行ったところ、0.87ｇ／ｍ・ｈ・mmHgであり、熱抵抗測定では0.11ｍ2k／Ｗであった。
【００３１】
上記実施例と比較例とから明らかなように、実施例１の断熱パネルは、合板と同等の強度を有し、さらに、合板よりも透湿率が大きく熱抵抗も大きいことが確認できた。さらに実施例２及び実施例３の断熱パネルは、その幅方向の中央部においても実部においても合板と同等以上の強度を有し、合板よりも透湿率が大きく、熱抵抗も大きいことが確認できた。
【図面の簡単な説明】
【００３２】
【図１】断熱パネルの簡略斜視図。
【図２】断熱パネルを施工した断熱屋根構造の一部切欠簡略斜視図。
【図３】その縦断側面図。
【図４】施工された断熱パネルの斜視図。
【図５】その縦断側面図。
【図６】嵌合用切欠段部と雇い実との係合状態の変形例を示す縦断側面図。
【図７】断熱パネルの別な形状を示す簡略斜視図。
【図８】その施工状態を示す斜視図。
【図９】その縦断側面図。
【符号の説明】
【００３３】
Ａ  断熱パネル
１  断熱パネル主体
２  補強板
３  嵌合用切欠段部
4a、4b  相じゃくり実部
５  雇い実
６  垂木
【図１】
2008231864.tif 000003
【図２】
2008231864.tif 000004
【図３】
2008231864.tif 000005
【図４】
2008231864.tif 000006
【図５】
2008231864.tif 000007
【図６】
2008231864.tif 000008
【図７】
2008231864.tif 000009
【図８】
2008231864.tif 000010
【図９】
2008231864.tif 000011